(57)【要約】【課題】  簡易な操作で、受信した全ての画像データの配信の中止とその解除を行うことができるファクシミリサーバを提供すること。【解決手段】  本発明のファクシミリサーバ１は、所定のビューアに対してボタン３６、３７を表示させ、ボタン３６、３７の操作により強制無効設定のオン又はオフの設定を受付けて自サーバ１に返信させるためのコマンドが記述されたマークアップ文書をクライアント２１へ送信する手段と、クライアント２１から返信されてきた強制無効設定のオン又はオフの設定に従って、強制無効設定を更新する更新手段と、画像データを受信したときに、強制無効設定がオンに設定されている場合、登録されている前記有効無効情報を全て無効とみなして受信処理を行う手段と、を備えるものである。【選択図】      図１
2006345177.tif 000002
【特許請求の範囲】
【請求項１】
複数の配信条件及び各配信条件の有効無効情報を登録する登録手段と、受信した画像データが何れかの配信条件に適合し且つ当該配信条件の有効無効情報が有効であるときに限り当該画像データの配信を行う配信手段と、を備えるファクシミリサーバにおいて、
強制無効設定をオン又はオフに更新する更新手段と、画像データを受信したときに、強制無効設定がオンに設定されている場合、登録されている前記有効無効情報を全て無効とみなして受信処理を行う手段と、を備えることを特徴とするファクシミリサーバ。
【請求項２】
所定のビューアに対してボタンを表示させ、該ボタンの操作により強制無効設定のオン又はオフの設定を受付けて自サーバに返信させるためのコマンドが記述されたマークアップ文書をクライアントへ送信する手段を備えており、
前記更新手段は、前記クライアントから返信されてきた強制無効設定のオン又はオフの設定に従って、強制無効設定を更新することを特徴とする請求項１記載のファクシミリサーバ。
【請求項３】
前記受信処理は、受信した画像データを配信せずにプリンタに出力する処理であることを特徴とする請求項１又は２記載のファクシミリサーバ。
【請求項４】
所定のビューアに対して配信時間の指定を受付けるための画面を表示させ、該画面を通じて配信時間の指定を受付けて自サーバに返信させるためのコマンドが記述されたマークアップ文書を前記クライアントへ送信する手段と、前記クライアントから返信されてきた配信時間の指定に従って、強制無効設定をオン又はオフに変更する手段と、を備えることを特徴とする請求項１乃至３のいずれか１に記載のファクシミリサーバ。
【請求項５】
強制無効設定のオン又はオフの設定を受付けるための強制無効設定操作部を本体に備えており、
前記更新手段は、前記強制無効設定操作部が受付けた強制無効設定のオン又はオフの設定に従って、強制無効設定を更新することを特徴とする請求項１乃至４のいずれか１に記載のファクシミリサーバ。
【発明の詳細な説明】
【技術分野】
【０００１】
本発明は、ファクシミリサーバに関し、詳しくは、外部装置から受信した画像データを配信条件に従って配信するファクシミリサーバに関する。
【背景技術】
【０００２】
従来より、外部装置から受信した画像データを配信条件に従って配信するファクシミリサーバがある（例えば、特許文献１参照。）。このような従来のファクシミリサーバは、配信条件に従って、ファクシミリ装置やインターネットファクシミリ装置等の外部装置から受信した画像データを、ＬＡＮ（Local Area Network）等を介して接続されたクライアント、ＰＳＴＮ（Public Switched Telephone Network）やインターネット等を介して接続された外部装置等に配信する。ここで、配信条件は、受信画像データを配信するか否かを決定するための条件、受信画像データを配信する場合にどの配信先に配信するかを決定するための条件等である。
【０００３】
前記配信条件は、例えば、ファクシミリサーバの表示部やクライアントのディスプレイに表示される配信条件設定画面からユーザにより設定される。図８は、配信条件等を設定するための配信条件設定画面の一例を示した図である。ユーザは、この配信条件設定画面から複数の配信条件を設定することができる。また、図８に例示する配信条件設定画面においては、受信画像データを配信するか否かを決定するための条件として、画像データ送信元のファクシミリ番号やメールアドレス等を設定できるようになっている。また、受信画像データを配信する場合にどの配信先に配信するかを決定するための条件として、クライアント装置に対応付けられたユーザＩＤ、ファクシミリ番号、メールアドレス等を設定することができるようになっている。また、これらの配信条件の他、配信条件に適合する受信画像データをプリントするか否か、それぞれの配信条件を有効とするか否かも設定することができるようになっている。ファクシミリサーバは、配信条件設定画面等から設定された配信条件等を登録し、登録した配信条件に従って受信画像データを配信したり、用紙にプリントするが、受信画像データに適合する配信条件がない場合、又は、適合する配信条件が無効である場合には、受信画像データをプリントするようになっている。
【特許文献１】特開２００１−１８６３２０号公報
【発明の開示】
【発明が解決しようとする課題】
【０００４】
このように、上記従来のファクシミリサーバは、配信条件を複数設定できるようになっているため、全ての配信を中止して受信画像データをプリントさせるには、登録されている複数の配信条件を全て無効とするための操作が必要であり、大変面倒であった。また、登録されている配信条件に従って受信画像データの配信等を行わせる場合にも、無効とした配信条件を有効とするための操作が必要があり、大変面倒であった。
【０００５】
本発明は、上記問題点に鑑みてなされたものであり、登録している複数の配信条件に従って、外部装置から受信した画像データを配信するファクシミリサーバにおいて、簡易な操作で、受信した全ての画像データの配信の中止とその解除を行うことができるファクシミリサーバを提供することを目的とする。
【課題を解決するための手段】
【０００６】
上記目的を達成するために、請求項１記載のファクシミリサーバは、複数の配信条件及び各配信条件の有効無効情報を登録する登録手段と、受信した画像データが何れかの配信条件に適合し且つ当該配信条件の有効無効情報が有効であるときに限り当該画像データの配信を行う配信手段と、を備えるファクシミリサーバにおいて、強制無効設定をオン又はオフに更新する更新手段と、画像データを受信したときに、強制無効設定がオンに設定されている場合、登録されている前記有効無効情報を全て無効とみなして受信処理を行う手段と、を備えることを特徴としている。
【０００７】
請求項２記載のファクシミリサーバは、請求項１記載のファクシミリサーバにおいて、所定のビューアに対してボタンを表示させ、該ボタンの操作により強制無効設定のオン又はオフの設定を受付けて自サーバに返信させるためのコマンドが記述されたマークアップ文書をクライアントへ送信する手段を備えており、前記更新手段は、前記クライアントから返信されてきた強制無効設定のオン又はオフの設定に従って、強制無効設定を更新することを特徴としている。
【０００８】
請求項３記載のファクシミリサーバは、請求項１又は２記載のファクシミリサーバにおいて、前記受信処理は、受信した画像データを配信せずにプリンタに出力する処理であることを特徴としている。
【０００９】
請求項４記載のファクシミリサーバは、請求項１乃至３のいずれか１に記載のファクシミリサーバにおいて、所定のビューアに対して配信時間の指定を受付けるための画面を表示させ、該画面を通じて配信時間の指定を受付けて自サーバに返信させるためのコマンドが記述されたマークアップ文書を前記クライアントへ送信する手段と、前記クライアントから返信されてきた配信時間の指定に従って、強制無効設定をオン又はオフに変更する手段と、を備えることを特徴としている。
【００１０】
請求項５記載のファクシミリサーバは、請求項１乃至４のいずれか１に記載のファクシミリサーバにおいて、強制無効設定のオン又はオフの設定を受付けるための強制無効設定操作部を本体に備えており、前記更新手段は、前記強制無効設定操作部が受付けた強制無効設定のオン又はオフの設定に従って、強制無効設定を更新することを特徴としている。
【発明の効果】
【００１１】
請求項１記載のファクシミリサーバによれば、ユーザは、ファクシミリサーバに強制無効設定の更新を行わせるのみで、受信した全ての画像データの配信の中止とその解除を行うことができる。
【００１２】
請求項２記載のファクシミリサーバによれば、ユーザは、クライアントのビューアによって表示されたボタンを用いて、簡易な操作で、受信した全ての画像データの配信の中止とその解除を行うことができる。
【００１３】
請求項３記載のファクシミリサーバによれば、ユーザは、クライアントのビューアによって表示されたボタンを用いて、簡易な操作で、受信した全ての画像データのプリントとその解除を行うことができる。
【００１４】
請求項４記載のファクシミリサーバによれば、ユーザは、受信した画像データが配信される配信時間を指定することができる。これにより、例えば、ファクシミリサーバがオフィス等に設置されている場合に、ユーザがオフィスにいない時間帯において、ユーザの自宅に設置されている装置に受信した画像データを配信させることができる。
【００１５】
請求項５記載のファクシミリサーバによれば、ユーザは、クライアントを起動させることなく、ファクシミリサーバの本体に備えられた強制無効設定操作部から、受信した全ての画像データの配信の中止とその解除を行うことができる。
【発明を実施するための最良の形態】
【００１６】
以下、本発明の実施形態に係るファクシミリサーバを図面に基づいて説明する。ファクシミリサーバ１は、図１に例示するように、制御部（ＭＰＵ：Microprocessing Unit）２、ＲＯＭ（Read Only Memory）３、ＲＡＭ（Random Access Memory）４、原稿読取部５、コーデック６、画像メモリ７、プリンタ８、操作部９、表示部１０、モデム１１、ＮＣＵ（Network Control Unit）１２、ＬＡＮ Ｉ／Ｆ（Local Area Network Interface）１３、及びＨＤＤ（Hard Disk Drive）１４を備えたものであって、各部２乃至１４はバス１５によって通信可能に接続されている。
【００１７】
制御部２は、ＲＯＭ３に格納された制御プログラムに従って、このファクシミリサーバ１を構成する各部を制御するものである。ＲＡＭ４は、制御部２の主メモリ、ワークエリア等として機能し、各種の設定情報等を記憶している。また、ＲＡＭ４には、複数の配信条件及び各配信条件の有効無効情報が登録される配信条件テーブル１６が設けられている。
【００１８】
原稿読取部５は、原稿の画像データを読取って所定の出力先に出力するものであり、図示しないが、ＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。コーデック６は、コピーやファクシミリ送受信等のために画像データを符号化し、符号化されている画像データを復号する。
【００１９】
画像メモリ７は、原稿読取部５から直接出力された画像データ、コーデック６において符号化された画像データ、外部装置から受信した画像データ等を蓄積する。プリンタ８は、画像メモリ７から読み出された画像データの画像を用紙にプリントするものである。このプリンタ８における記録方式としては、例えば、電子写真方式を用いることができる。
【００２０】
図２は、原稿読取部５を構成するフラットベッドスキャナ５ａ周辺を示した概略斜視図である。図示するように、操作部９及び表示部１０は、ファクシミリサーバ１の本体１７に設けられている。操作部９は、原稿読取部５に原稿の読取開始を指示するためのスタートキー９ａ（９）、ファクシミリ番号やコピー部数等を入力するためのテンキー９ｂ（９）、ワンタッチダイヤルに予め登録された宛先を指定するためのワンタッチキー９ｃ（９）等、表示部１０と連動した各種操作キーを備えている。また、操作部９は、後述する配信ボタン９ｄ（９）を備えている。表示部１０は、各種の設定状態やファクシミリサーバ１の動作状態などを文字や図形などで表示する液晶表示装置（ＬＣＤ：Liquid Crystal Display）１０ａ（１０）や、点灯又は消灯で表示するＬＥＤランプ１０ｂ（１０）などを備えている。なお、液晶表示装置１０ａは、いわゆるタッチパネル式のものであり、操作部９に代えて液晶表示装置１０ａの画面をユーザが指等で触れることにより各種の操作を行うこともできる。
【００２１】
モデム１１は、例えばＩＴＵ−Ｔ（国際電気通信連合電気通信標準化部門）の勧告Ｖ．３０規格又はこれと同様のものに従った送受信データの変調及び復調を行うものである。ＮＣＵ１２は、電話回線を制御して電話をかけたり、切ったりする回線網制御装置であり、ＰＳＴＮ１８に接続されている。制御部２は、モデム１１及びＮＣＵ１２を制御して外部ファクシミリ装置１９と画像データのファクシミリ送受信を行うことができる。
【００２２】
ＬＡＮ Ｉ／Ｆ１３は、ＬＡＮ２０とファクシミリサーバ１とを通信可能に接続するインターフェースである。ＬＡＮ２０には、パーソナルコンピュータ等にＯＳ（Operating Systems）、ブラウザ機能が組み込まれてなるクライアント（以下、「クライアントＰＣ」という。）２１が設置されており、クライアントＰＣ２１からファクシミリサーバ１が有する各種機能を利用することができるようになっている。該クライアントＰＣ２１には、所定のＩＰアドレスが割り当てられている。また、ＬＡＮ２０には、メールサーバ２２、ルータ２３も設置されており、ファクシミリサーバ１は、インターネットを通じて外部ＰＣ２４や外部インターネットファクシミリ装置（以下、「外部ＩＦＡＸ装置」という。）２５等と画像データを送信又は受信するインターネットファクシミリ通信を行うことができる。なお、ファクシミリサーバ１が通信を行う外部ファクシミリ装置１９、クライアントＰＣ２１、外部ＰＣ２４、外部ＩＦＡＸ装置２５の数は、それぞれ任意である。
【００２３】
ＨＤＤ１４は、所定のビューアにより各種の画面が表示されるマークアップ文書を記憶している。ここでは、ブラウザによりファクシミリサーバ１の受信履歴画面が表示されるＨＴＭＬ（Hypertext Markup Language）ファイル（以下、「ウェブページ」という。）等、各種のウェブページを記憶している。
【００２４】
また、ファクシミリサーバ１は、ウェブサーバ機能を備えており、クライアントＰＣ２１から送信を要求されたウェブページをクライアントＰＣ２１に送信する。ファクシミリサーバ１とクライアントＰＣ２１とは、例えばＨＴＴＰ（Hypertext Transfer Protocol）により通信を行う。
【００２５】
上記構成を備えるファクシミリサーバ１は、配信条件テーブル１６に登録されている複数の配信条件及び各配信条件の有効無効情報に従って、外部ファクシミリ装置１９、外部ＰＣ２４、外部ＩＦＡＸ装置２５等の外部装置から受信した画像データの配信等を行う。
【００２６】
ここで、配信条件は、受信した画像データを配信するか否かを決定するための条件、受信した画像データを配信する場合にどの配信先に配信するかを決定するための条件等である。この配信条件は、クライアントＰＣ２１において、例えば次に説明するような配信条件登録画面から登録される。配信条件を登録する場合、ユーザがクライアントＰＣ２１で所定操作を行うことによって、配信条件登録画面のＵＲＬ（Uniform Resource Locators）を指定したリクエストがクライアントＰＣ２１からファクシミリサーバ１に送信され、ファクシミリサーバ１は、配信条件登録画面のウェブページを要求元のクライアントＰＣ２１に送信する。
【００２７】
クライアントＰＣ２１は、ファクシミリサーバ１から配信条件登録画面のウェブページを受信すると、それをディスプレイ（不図示）にブラウザにより表示する。図３は、配信条件登録画面２６の一例を示した図である。図示するように、配信条件登録画面２６は、配信条件を有効とするか又は無効とするかを選択するための有効無効チェックボックス２７、配信条件の名称を入力するための配信条件名入力ボックス２８、受信した画像データを配信するか否かを決定するための条件として、送信元のファクシミリ番号を入力するための送信元ファクシミリ番号入力ボックス２９、送信元のメールアドレスを入力するための送信元メールアドレス入力ボックス３０、受信した画像データを配信する場合にどの配信先に配信するかを決定するための条件として、クライアントＰＣ２１に対応付けられたユーザＩＤを選択するためのプルダウンメニュー３１、ファクシミリ番号を入力するための配信先ファクシミリ番号入力ボックス３２、メールアドレスを入力するための配信先メールアドレス入力ボックス３３、当該画面において入力ないし選択された情報をファクシミリサーバ１に送信するための登録ボタン３４等を具備する。
【００２８】
前記配信条件登録画面２６において入力ないし選択された情報は、ユーザによって登録ボタン３４がマウス（不図示）等で押下されることにより、クライアントＰＣ２１からファクシミリサーバ１に返信され、ファクシミリサーバ１において、配信条件テーブル１６に登録される。なお、ここでは、受信した画像データを配信するか否かを決定するための条件として、送信元のファクシミリ番号とメールアドレスを登録するできるようになっているが、これに限らず、例えば、ファクシミリ受信した全ての画像データやメール受信した全ての画像データを配信させることを登録することも可能である。
【００２９】
図４は、配信条件テーブル１６の一例を示した図である。図示するように、配信条件テーブル１６は、「番号」フィールド、「配信条件名」フィールド、「検索条件」フィールド、「配信先」フィールド、「有効／無効」フィールドからなる。「番号」フィールドには、行番号が格納される。「配信条件名」フィールドには、配信条件名入力ボックス２８に入力された配信条件の名称が格納される。「検索条件」フィールドには、送信元ファクシミリ番号入力ボックス２９、送信元メールアドレス入力ボックス３０に入力されたファクシミリ番号、メールアドレスが格納される。「配信先」フィールドには、プルダウンメニュー３１から選択されたユーザＩＤ、配信先ファクシミリ番号入力ボックス３２、配信先メールアドレス入力ボックス３３に入力されたファクシミリ番号、メールアドレスが格納される。「有効／無効」フィールドには、有効無効チェックボックス２７から選択された配信条件を有効にするか否かの有効無効情報が格納される。
【００３０】
ファクシミリサーバ１は、外部装置から受信した画像データが配信条件テーブル１６に登録されている何れかの配信条件に適合し且つ当該配信条件の有効無効情報が有効であるときに限り当該画像データの配信を行い、この他の場合は、受信した画像データの配信を行わず、受信した画像データをプリンタ８に出力するようになっている。ところで、ファクシミリサーバ１は、受信した全ての画像データの配信を中止するため、配信条件テーブル１６に登録されている有効無効情報を全て無効とみなし受信処理を行うことができる。すなわち、ファクシミリサーバ１は、配信条件テーブル１６に登録されている有効無効情報を全て無効とみなして受信した全ての画像データの配信を行わない。ここで、ファクシミリサーバ１が配信条件テーブル１６に登録されている有効無効情報を全て無効とみなすか否かは、ＲＡＭ４に記憶されている強制無効設定に従う。この強制無効設定には、「オン」と「オフ」があり、強制無効設定が「オン」に設定されている場合、ファクシミリサーバ１は、配信条件テーブル１６に登録されている有効無効情報を全て無効とみなして受信処理を行う。また、強制無効設定が「オフ」である場合、配信条件テーブル１６に登録されている複数の配信条件及び各配信条件の有効無効情報に従って、受信した画像データの配信等を行う。ユーザは、強制無効設定の「オン」又は「オフ」を設定することができるようになっており、例えば次に説明するような受信履歴画面に表示される自動配信オンボタン及び自動配信オフボタンから強制無効設定の「オン」又は「オフ」を設定することができる。なお、受信履歴画面は、ファクシミリサーバ１のファクシミリやメール等の受信履歴が表示されるものであり、ユーザによる閲覧の頻度が高いものである。
【００３１】
受信履歴画面のウェブページは、配信条件登録画面のウェブページ等と同様、クライアントＰＣ２１でユーザにより所定操作が行われることによって、ファクシミリサーバ１からクライアントＰＣ２１に送信される。受信履歴画面のウェブページには、ブラウザに対して自動配信オンボタン及び自動配信オフボタンを表示させ、該自動配信オンボタン又は自動配信オフボタンの操作により強制無効設定の「オン」又は「オフ」の設定を受付けてファクシミリサーバ１に返信させるためのコマンドが記述されている。
【００３２】
クライアントＰＣ２１は、ファクシミリサーバ１から受信履歴画面のウェブページを受信すると、それをディスプレイにブラウザにより表示する。図５は、受信履歴画面３５の一例を示した図である。図示するように、受信履歴画面３５には、ファクシミリサーバ１の受信履歴とともに、自動配信オンボタン３６及び自動配信オフボタン３７が表示される。また、受信履歴画面３５には、後述する配信時間指定ボタン３８が表示される。図５に示す場合は、自動配信オフボタン３７が網掛け表示され、ＲＡＭ４に記憶されている強制無効設定が「オフ」に設定されていること、すなわち、配信条件テーブル１６に登録されている複数の配信条件及び各配信条件の有効無効情報に従って、受信した画像データの配信等が行われることが示されている。また、自動配信オンボタン３６が網掛け表示されている場合は、強制無効設定が「オン」に設定されていること、すなわち、受信した全ての画像データの配信が中止されていることが示されている。クライアントＰＣ２１は、ユーザにより自動配信オンボタン３６又は自動配信オフボタン３７がマウス等で操作されると、受信履歴画面のウェブページの記述に従って、強制無効設定の「オン」又は「オフ」の設定を受付けてファクシミリサーバ１に返信する。具体的には、自動配信オフボタン３７が操作された場合、強制無効設定「オン」の設定をファクシミリサーバ１に返信する。また、自動配信オンボタン３６が操作された場合、強制無効設定「オフ」の設定をファクシミリサーバ１に返信する。
【００３３】
ファクシミリサーバ１は、クライアントＰＣ２１から返信されてきた強制無効設定の「オン」又は「オフ」の設定に従って、ＲＡＭ４に記憶されている強制無効設定を更新する。例えば、ＲＡＭ４に記憶されている強制無効設定が「オフ」であり、クライアントＰＣ２１から返信されてきた強制無効設定が「オン」である場合は、ＲＡＭ４に記憶されている強制無効設定を「オフ」から「オン」に書換える。また、例えば、ＲＡＭ４に記憶されている強制無効設定が「オン」であり、クライアントＰＣ２１から返信されてきた強制無効設定が「オフ」である場合は、ＲＡＭ４に記憶されている強制無効設定を「オン」から「オフ」に書換える。なお、ＲＡＭ４に記憶されている強制無効設定と、クライアントＰＣ２１から返信されてきた強制無効設定が同一である場合は、更新を行わない。
【００３４】
また、ファクシミリサーバ１は、図２に示したように、強制無効設定の「オン」又は「オフ」の設定を受付ける配信ボタン９ｄを本体１７に備えており、ユーザは、該配信ボタン９ｄを操作して強制無効設定の「オン」又は「オフ」を設定することができる。なお、ＲＡＭ４に記憶されている強制無効設定が「オン」に設定されているか、又は「オフ」に設定されているかは、液晶表示装置１０ａに表示される。ファクシミリサーバ１は、配信ボタン９ｄが操作されると強制無効設定の「オン」又は「オフ」の設定を受付け、受付けた強制無効設定の「オン」又は「オフ」の設定に従って、上記と同様、ＲＡＭ４に記憶されている強制無効設定を更新する。
【００３５】
次に、外部装置から画像データを受信した場合にファクシミリサーバ１において実行される処理動作を図６に示すフローチャートに基づいて説明する。なお、以下のフローチャートに基づいて説明するファクシミリサーバ１の処理動作は、ＲＯＭ３に格納されている制御プログラムに基づいて制御部２が発行する命令に従って行われる。
【００３６】
制御部２は、外部装置から画像データを受信したか否かを繰り返し判断する（Ｓ１）。外部装置から画像データを受信したと判断した場合（Ｓ１：ＹＥＳ）、ＲＡＭ４に記憶されている強制無効設定が「オン」に設定されているか、又は、「オフ」に設定されているかを判断する（Ｓ２）。強制無効設定が「オフ」に設定されていると判断した場合（Ｓ２：オフ）、受信した画像データに適合する配信条件を配信条件テーブル１６から検索する（Ｓ３）。例えば、外部ファクシミリ装置１９から画像データを受信した場合、送信元の外部ファクシミリ装置１９のファクシミリ番号に適合するファクシミリ番号を配信条件テーブル１６の「検索条件」フィールドから検索する。
【００３７】
次に、制御部２は、外部装置から受信した画像データに適合する配信条件があるか否かを判断する（Ｓ４）。適合する配信条件があると判断した場合（Ｓ４：ＹＥＳ）、適合する配信条件の有効無効情報が有効であるか又は無効であるかを判断する（Ｓ５）。配信条件の有効無効情報が有効であると判断した場合（Ｓ５：有効）、配信条件に従って受信した画像データを配信する（Ｓ６）。例えば、配信先としてユーザＩＤが登録されている場合は、当該ユーザＩＤに対応付けられたＩＰアドレスのクライアントＰＣ２１に、受信した画像データを配信する。
【００３８】
一方、ＲＡＭ４に記憶されている強制無効設定が「オン」に設定されていると判断した場合（Ｓ２：オン）、受信した画像データに適合する配信条件がないと判断した場合（Ｓ４：ＮＯ）、又は、受信した画像データに適合する配信条件の有効無効情報が無効であると判断した場合（Ｓ５：無効）、受信した画像データをプリンタ８に出力する（Ｓ７）。プリンタ８は、入力された画像データの画像を用紙にプリントする。
【００３９】
このように、ファクシミリサーバ１は、ユーザによって設定される強制無効設定が「オン」に設定されている場合には、配信条件テーブル１６に登録されている有効無効情報を全て無効とみなし、受信した全ての画像データの配信を中止する。また、強制無効設定が「オフ」に設定されている場合には、配信条件テーブル１６に登録されている複数の配信条件及び各配信条件の有効無効情報に従って、受信した画像データの配信等を行う。これにより、ユーザは、クライアントＰＣ２１のブラウザによって表示された自動配信オンボタン３６及び自動配信オフボタン３７を用いて、簡易な操作で、受信した全ての画像データの配信の中止とその解除を行うことができる。また、ファクシミリサーバ１は、受信した全ての画像データの配信を中止するとともに、受信した画像データをプリンタ８に出力するので、ユーザは、簡易な操作で、受信した全ての画像データのプリンタ８でのプリントとその解除を行うことができる。また、ユーザは、クライアントＰＣ２１を起動することなく、ファクシミリサーバ１の本体１７に備えられた配信ボタン９ｄを用いて、受信した全ての画像データの配信の中止とその解除を行うことができる。
【００４０】
ユーザは、上記のように、外部装置から受信した全ての画像データの配信の中止とその解除を行うことができるが、外部装置から受信した画像データを配信する配信時間を指定することもできる。この配信時間指定は、クライアントＰＣ２１において、例えば次に示すような配信時間指定画面から行われる。図５に示した受信履歴画面３５において、配信時間指定ボタン３８が押下されると、配信時間指定画面のウェブページがファクシミリサーバ１に要求され、配信時間指定画面のウェブページがファクシミリサーバ１からクライアントＰＣ２１に送信される。配信時間指定画面のウェブページには、ブラウザに対して配信時間の指定を受付けるための配信時間指定画面を表示させ、該配信時間指定画面を通じて配信時間の指定を受付けてファクシミリサーバ１に返信させるためのコマンドが記述されている。
【００４１】
クライアントＰＣ２１は、ファクシミリサーバ１から配信時間指定画面のウェブページを受信すると、それをディスプレイにブラウザにより表示する。図７は、配信時間指定画面３９の一例を示した図である。図示するように、配信時間指定画面３９は、受信した画像データを毎日配信先に配信するか、又は、指定曜日に配信するかを選択するためのチェックボックス４０、４１、曜日を指定するための曜日ボタン４２、受信した画像データを配信する時間帯を指定するためのプルダウンメニュー４３、４４、当該画面において選択された情報をファクシミリサーバ１に返信するための設定ボタン４５等を具備している。ユーザにより、設定ボタン４５がマウス等で押下されると、クライアントＰＣ２１は、配信時間指定画面のウェブページの記述に従い、配信時間指定画面３９において選択された配信時間の指定を受付けてファクシミリサーバ１に返信する。
【００４２】
ファクシミリサーバ１は、クライアントＰＣ２１から返信されてきた配信時間の情報をＲＡＭ４に記憶する。そして、ＲＡＭ４に記憶されている配信時間の情報に従って、強制無効設定を「オン」又は「オフ」に変更する。例えば、配信時間として、「月曜日から金曜日のＰＭ１１時からＡＭ８時まで」がＲＡＭ４に記憶されている場合は、月曜日から金曜日のＰＭ１１時からＡＭ８時までの間、強制無効設定を「オフ」に変更し、それ以外の時間は、強制無効設定を「オン」に変更する。したがって、ファクシミリサーバ１が外部装置から受信した画像データは、配信時間指定画面３９から指定された配信時間内においては、配信条件テーブル１６に登録されている複数の配信条件及び各配信条件の有効無効情報に従って配信等され、配信時間指定画面から指定された配信時間外においては、配信が中止されてプリンタ８に出力される。これにより、ユーザは、例えば、ファクシミリサーバ１がオフィス等に設置されている場合に、ユーザがオフィスにいない時間帯において、ユーザの自宅に設置されている外部装置に受信した画像データを配信させることができる。
【００４３】
なお、本実施形態においては、受信履歴画面のウェブページに、ブラウザに対して自動配信オンボタン３６及び自動配信オフボタン３７を表示させ、自動配信オンボタン３６又は自動配信オフボタン３７の操作により強制無効設定の「オン」又は「オフ」の設定を受付けてファクシミリサーバ１に返信させるためのコマンドを記述した場合について説明したが、これに限らず、例えば、送信履歴画面のウェブページ等に上記の記述を設けるようにしてもよい。また、表示部１０のタッチパネル式の液晶表示装置１０ａに、強制無効設定の「オン」又は「オフ」の設定を受付けるボタン等を表示するようにしてもよい。また、外部装置から受信した画像データを配信しない場合、受信した画像データを自サーバ１のプリンタ８に出力するようにしているが、プリンタ８以外の他のプリンタに出力するようにしてもよい。
【産業上の利用可能性】
【００４４】
本発明は、例えば、受信した画像データを配信条件に従って配信するファクシミリサーバに適用することができる。
【図面の簡単な説明】
【００４５】
【図１】本発明の実施形態に係るファクシミリサーバの構成例を示すブロック図である。
【図２】原稿読取部を構成するフラットベッドスキャナ周辺を示した概略斜視図である。
【図３】配信条件登録画面の一例を示した図である。
【図４】配信条件テーブルの一例を示した図である。
【図５】受信履歴画面の一例を示した図である。
【図６】外部装置から画像データを受信した場合にファクシミリサーバにおいて実行される処理動作を示したフローチャートである。
【図７】配信時間指定画面の一例を示した図である。
【図８】配信条件設定画面の一例を示した図である。
【符号の説明】
【００４６】
１    ファクシミリサーバ
２    制御部
３    ＲＯＭ
４    ＲＡＭ
８    プリンタ
９ｄ    配信ボタン
１６    配信条件テーブル
２１    クライアントＰＣ
３５    受信履歴画面
３６    自動配信オンボタン
３７    自動配信オフボタン
３９    配信時間指定画面
【図１】
2006345177.tif 000003
【図２】
2006345177.tif 000004
【図３】
2006345177.tif 000005
【図４】
2006345177.tif 000006
【図５】
2006345177.tif 000007
【図６】
2006345177.tif 000008
【図７】
2006345177.tif 000009
【図８】
2006345177.tif 000010